(57)【要約】【課題】食肉用動物を飼育し、品質の良い食肉を得るために、食肉用動物の個体毎の飼育中の食餌量、給水量及び畜舎の出入行動等の飼育情報を取得、記録することが必要となっていた。【解決手段】本発明に係る食肉用動物管理装置によれば、食肉用動物（１）の個体毎に装着した標識（２）を読取る標識識別装置（４）により、該食肉用動物の個体特定（５）を行い、食餌装置（３）に装備された重量計（７）により給餌量（７ａ）を取得し、給水装置（８）に装備された水量（９）により給水量（９ａ）を取得し、畜舎（１０）の出口（１０ａ）と入口（１０ｂ）に装備された標識識別装置（４）により食肉用動物（１）の畜舎の出入り情報を取得し、これらの情報を記憶装置（６）に記録させることで、食肉用動物（１）の個体毎の飼育中の管理情報を取得でき、食肉用動物（１）の個体毎の食肉の品質を想定することが可能となるとともに、飼育中の管理情報から食肉用動物（１）の飼育行動を誘導することで食肉の安定性を確保することが可能となる。【選択図】図１
2016214222.tif 000002
【特許請求の範囲】
【請求項１】
食肉用動物（１）の体表に装着した標識（２）により該食肉動物の飼育中の個体特定を行うことを特徴とする食肉用動物飼育管理装置。
【請求項２】
該食肉用動物（１）の体表に装着した標識をカラーコード（２ａ）とすることを特徴とする請求項１に記載の食肉用動物飼育管理装置。
【請求項３】
該食肉用動物（１）の体表に装着した標識をバーコード（２ｂ）とすることを特徴とする請求項１に記載の食肉用動物飼育管理装置。
【請求項４】
該食肉用動物（１）の体表に装着した標識を無線ＩＣタグ（２ｃ）とすることを特徴とする請求項１に記載の食肉用動物飼育管理装置。
【請求項５】
食肉用動物（１）の体内埋め込んだ標識（２ｄ）により該食肉動物の飼育中の個体特定を行うことを特徴とする食肉用動物飼育管理装置。
【請求項６】
該食肉用動物（１）の体内埋め込んだ標識を無線ＩＣタグ（２ｅ）とすることを特徴とする請求項５に記載の食肉用動物飼育管理装置。
【請求項７】
食肉用動物（１）の給餌装置（３）に装着した標識識別装置（４）により該食肉動物（１）に装着された標識（２）を読取り、該食肉用動物（１）の飼育中の個体特定を行い、該個体特定情報（５）を記憶装置（６）に転送することを特徴とする請求項１又は５に記載の食肉用動物飼育管理装置。
【請求項８】
食肉用動物（１）の給餌装置（３）に装着した重量計（７）により給餌量を計測し、該給餌量（７ａ）を請求項７記載の該個体特定情報（５）とともに記憶装置（６）に転送することを特徴とする請求項１又は５に記載の食肉用動物飼育管理装置。
【請求項９】
食肉用動物（１）の給水装置（８）に装着した標識識別装置（４）により該食肉動物（１）に装着された標識（２）を読取り、該食肉用動物（１）の飼育中の個体特定を行い、該個体特定情報（５）を記憶装置（６）に転送することを特徴とする請求項１又は５に記載の食肉用動物飼育管理装置。
【請求項１０】
食肉用動物（１）の給水装置（８）に装着した水量計（９）により給水量（９ａ）を計測し、該給水量（９ａ）を請求項９記載の該個体特定情報（５）とともに記憶装置（６）に転送することを特徴とする請求項１又は５に記載の食肉用動物飼育管理装置。
【請求項１１】
食肉用動物（１）用畜舎（１０）の出口（１０ａ）に装備した標識識別装置（４）により該食肉動物（１）に装着された標識（２）を読取り、該食肉用動物（１）の飼育中の個体特定を行い、該個体特定情報（５）を記憶装置（６）に転送することを特徴とする請求項１又は５に記載の食肉用動物飼育管理装置。
【請求項１２】
食肉用動物（１）用畜舎（１０）の入口（１０ｂ）に装備した標識識別装置（４）により該食肉動物（１）に装着された標識（２）を読取り、該食肉用動物（１）の飼育中の個体特定を行い、該個体特定情報（５）を記憶装置（６）に転送することを特徴とする請求項１又は５に記載の食肉用動物飼育管理装置。
【請求項１３】
請求項７及至１２により記憶装置（６）に蓄積した該情報（５、７ａ及び９ａ）により該食肉用動物（１）の個体毎の行動、給餌量、給水量及び畜舎内外の移動量を管理し、該食肉用動物（１）の飼育状況を把握することを特徴とする請求項１又は５に記載の食肉用動物飼育管理装置。
【発明の詳細な説明】
【技術分野】
【０００１】本発明は、食肉用動物を飼育し、品質の良い食肉を得るために、食肉用動物の各個体を特定する手段と該食肉用動物の飼育中の食餌量、行動及びバイタル情報を取得並びに記録させる装置に関するものである。
【背景技術】
【０００２】食肉用動物の飼育及びその管理は飼育畜舎に飼育されている動物全体の食餌量等を管理し、畜舎全体でのデータ管理を行うのが一般的であった。しかし、品質の良い食肉を得るためには食肉用動物のそれぞれの個体毎の食餌量、行動及び体型、体重等のバイタル情報を得なければならないが、食肉用動物の各個体のデータを取得、蓄積することは不可能であった。【０００３】  従来、食肉用動物への食餌や給水などを自動的に行うもの（例えば、特開２０１４−２２６０８６号公報）がある。また、畜舎の飼育環境を調整させるもの（例えば、特開２０１０−０９４１３８号公報）がある。
【先行技術文献】
【特許文献】
【０００４】
【特許文献１】特開２０１４−２２６０８６
【特許文献２】特開２０１０−０９４１３８
【発明の概要】
【発明が解決しようとする課題】
【０００５】特許文献１は畜舎への食餌や水などの供給を自動的に管理するものであるが、食肉用動物の個体毎の食餌量や給水量を把握できるものではなく、特許文献２は畜舎全体での飼育環境を管理するものであり、食肉用動物の各個体の飼育状況を把握及び管理できるものとはなっていない。【０００６】本発明は、この課題を実現するために、食肉用動物の個体毎に装着した標識により、該食肉用動物の個体特定を行い、該個体の飼育中の食餌量、行動及びバイタル情報を取得並びに記録させ、食肉の品質の安定性を確保することができる管理装置を提供することにある。
【課題を解決するための手段】
【０００７】（請求項１）本発明に係る食肉用動物飼育管理装置は食肉用動物の体表に装着した標識と該標識を認識する装置を包含している。【０００８】（請求項２）該標識はカラーコードであってもよい。こうすることで、該食肉用動物の個体特定が可能となる。【０００９】（請求項３）該標識はバーコードであってもよい。こうすることで該食肉用動物の個体特定が可能となる。【００１０】（請求項４）該標識は無線ＩＣタグであってもよい。こうすることで該食肉用動物の個体特定が可能となる。【００１１】（請求項５）該標識を該食肉用動物の体内埋め込んだ標識とすることで該食肉用動物の個体特定が可能となる。【００１２】（請求項６）該食肉用動物の体内埋め込んだ該標識は無線ＩＣタグであってよい。こうすることで該食肉用動物の個体特定が可能となる。【００１３】（請求項７）該食肉用動物に食餌を供給する給餌装置に装着した標識識別装置により該該食肉動物に装着された該標識を読取り、該食肉用動物の飼育中の個体特定を行い、該個体特定情報を別に用意した記憶装置に転送することで該食肉用動物の個体毎の食餌の時間及び頻度情報を記録及び管理できる。【００１４】（請求項８）該食肉用動物に食餌を供給する給餌装置に装着した標識識別装置により該該食肉動物に装着された該標識を読取り、該食肉用動物の飼育中の個体特定を行うとともに、該食餌装置に装着した重量計により計測された食餌量を、該個体特定情報を別に用意した記憶装置に転送することで該食肉用動物の個体毎の飼育中の食餌情報を記録及び管理できる。【００１５】（請求項９）該食肉用動物に水を供給する給水装置に装着した標識識別装置により該該食肉動物に装着された該標識を読取り、該食肉用動物の飼育中の個体特定を行い、該個体特定情報を別に用意した記憶装置に転送することで該食肉用動物の個体毎の取水情報を記録及び管理できる。【００１６】（請求項１０）該食肉用動物に水を供給する給水装置に装着した標識識別装置により該該食肉動物に装着された該標識を読取り、該食肉用動物の飼育中の個体特定を行うとともに、該給水装置に装着した水量計により計測された給水量を、該個体特定情報を別に用意した記憶装置に転送することで該食肉用動物の個体毎の飼育中の取水情報を記録及び管理できる。【００１７】（請求項１１）該食肉用動物の飼育用畜舎の出口に装着した標識識別装置により該該食肉動物に装着された該標識を読取り、該食肉用動物の飼育中の個体特定を行い、該個体特定情報を別に用意した記憶装置に転送することで該食肉用動物の個体毎の畜舎からの出舎情報を記録及び管理できる。【００１８】（請求項１２）該食肉用動物の飼育用畜舎の入口に装着した標識識別装置により該該食肉動物に装着された該標識を読取り、該食肉用動物の飼育中の個体特定を行い、該個体特定情報を別に用意した記憶装置に転送することで該食肉用動物の個体毎の畜舎への入舎情報を記録及び管理できる。【００１９】（請求項１３）請求項７及至１２により該記憶装置に蓄積した食餌量、給水量、畜舎出入り情報等の該食肉用動物の個体毎を管理し、該食肉用動物の飼育状況を把握することができる。
【発明の効果】
【００２０】（請求項１）本発明に係る食用動物飼育管理装置によれば、食肉用動物に装着した標識を読み取ることで該食肉用動物の個体特定が出来るため、食肉用動物の個々の個体毎に各々の飼育中の状態を確保し、管理することが可能となる。【００２１】請求項２によれば、該食肉用動物に装着する標識をカラーコードとすることで、撮像装置によって容易に該食肉用動物の個体情報を取得することができるため、食肉用動物の個々の個体毎に各々の飼育中の状態を確保し、管理することが可能となる。【００２２】請求項３によれば、該食肉用動物に装着する標識をバーコードとすることで、市販のバーコード読取機によって容易に該食肉用動物の個体情報を取得することができるため、食肉用動物の個々の個体毎に各々の飼育中の状態を確保し、管理することが可能となる。【００２３】請求項４によれば、該食肉用動物に装着する標識を無線ＩＣタグとすることで、無線ＩＣタグ地読取装置によって遠隔でも、壁などによって遮断されている場合でも、容易に該食肉用動物の個体情報を取得することができるため、食肉用動物の個々の個体毎に各々の飼育中の状態を確保し、管理することが可能となる。【００２４】請求項５によれば、該食肉用動物に装着する標識を該食肉用動物の体内に埋め込んだ標識とすることで、外部状況の如何に関わらず容易に該食肉用動物の個体情報を取得することができるため、食肉用動物の個々の個体毎に各々の飼育中の状態を確保し、管理することが可能となる。【００２５】請求項６によれば、該食肉用動物に装着する標識を該食肉用動物の体内に埋め込んだ無線ＩＣタグとすることで、外部状況の如何に関わらず容易に該食肉用動物の個体情報を取得することができるため、食肉用動物の個々の個体毎に各々の飼育中の状態を確保し、管理することが可能となる。【００２６】請求項７によれば、該食肉用動物に装着された該標識を該食肉用動物に食餌を供給する給餌装置に装着した標識識別装置により読取ることで、該食肉用動物の飼育中の個体特定を行うとともに、該食肉用動物が何時、どの位の時間の間で食餌をしたかの情報を取得することができるため、該食肉用動物の個体毎の飼育中の状態及び食餌情報の時間、頻度情報を記録及び管理することが可能となる。【００２７】請求項８によれば、該食肉用動物に装着された該標識を該食肉用動物に食餌を供給する給餌装置に装着した標識識別装置により読取ることで、該食肉用動物の飼育中の個体特定を行うとともに、該食肉用動物が何時、どの位の時間の間にどの位の量の食餌をしたかの情報を取得することができるため、該食肉用動物の個体毎の飼育中の状態及び食餌情報の時間、頻度及び食餌量情報を記録及び管理することが可能となる。【００２８】請求項９によれば、該食肉用動物に装着された該標識を該食肉用動物に給水を行う給水装置に装着した標識識別装置により読取ることで、該食肉用動物の飼育中の個体特定を行うとともに、該食肉用動物が何時、どの位の時間の間で取水をしたかの情報を取得することができるため、該食肉用動物の個体毎の飼育中の状態及び給水情報の時間、頻度情報を記録及び管理することが可能となる。【００２９】請求項１０によれば、該食肉用動物に装着された該標識を該食肉用動物に給水する給水装置に装着した標識識別装置により読取ることで、該食肉用動物の飼育中の個体特定を行うとともに、該食肉用動物が何時、どの位の時間の間にどの位の量の取水をしたかの情報を取得することができるため、該食肉用動物の個体毎の飼育中の状態及び取水情報の時間、頻度及び取水量情報を記録及び管理することが可能となる。【００３０】請求項１１によれば、該食肉用動物に装着された該標識を飼育用畜舎の出口に装着した標識識別装置により読取ることで、該食肉用動物の飼育中の個体特定を行うとともに、該食肉用動物が何時、該畜舎から出たかの情報を取得することができるため、該食肉用動物の個体毎の飼育中の畜舎の出入り時間及び頻度情報を記録及び管理することが可能となる。【００３１】請求項１２によれば、該食肉用動物に装着された該標識を飼育用畜舎の入口に装着した標識識別装置により読取ることで、該食肉用動物の飼育中の個体特定を行うとともに、該食肉用動物が何時、該畜舎に入ったかの情報を取得することができるため、該食肉用動物の個体毎の飼育中の畜舎の出入り時間及び頻度情報を記録及び管理することが可能となる。【００３２】請求項１３によれば、請求項７及至１２により記録及び管理された個体毎の行動、給餌量、給水量及び畜舎内外の移動量等の情報により該食肉用動物の個体毎の情報を管理することが可能となる。
【図面の簡単な説明】
【００３３】
【図１】飼育されている食肉用動物の飼育状況を管理する食用動物飼育管理装置の概念図である。
【図２】食肉用動物に装着された標識の説明図である。
【図３】食肉用動物に装着された標識の標識識別装置による標識情報の取得と取得した情報の管理方法の説明図である。
【図４】食肉用動物の飼育用畜舎に装備された給餌装置の重量計や給水装置の給水量情報の管理方法の説明図である。
【図５】食肉用動物の飼育用畜舎の出入口に装備された標識識別装置による標識情報の取得と取得した情報の管理方法の説明図である。
【発明を実施するための形態】
【００３４】以下に、この発明の実施の形態を、図面を参照して、説明する。
（請求項１）図２で、本発明に係る食用動物飼育管理装置は、食肉用動物１に装着された標識２により該食肉用動物１の個体特定情報５の取得が可能となる。
【００３５】（請求項２）図２で、食肉用動物１に装着された標識２をカラーコードとすることにより撮像装置により容易に該食肉用動物１の個体特定情報５の取得が可能となる。
【００３６】（請求項３）図２で、食肉用動物１に装着された標識２をバーコードとすることによりバーコード読取機により容易に該食肉用動物１の個体特定情報５の取得が可能となる。
【００３７】（請求項４）図２で、食肉用動物１に装着された標識２を無線ＩＣタグとすることにより無線ＩＣタグの読取機により容易に該食肉用動物１の個体特定情報５の取得が可能となる。
【００３８】（請求項５）図２で、食肉用動物１に装着された標識２を該食肉用動物１の体内に埋め込んだ標識２ｄにすることで該食肉用動物１の個体特定情報５の取得が可能となる。
【００３９】（請求項６）図２で、食肉用動物１に装着された標識２を該食肉用動物１の体内に埋め込んだ無線ＩＣタグ２ｅとすることにより無線ＩＣタグの読取機により容易に該食肉用動物１の個体特定情報５の取得が可能となる。
【００４０】（請求項７）図３で、食肉用動物１に装着された標識２がカラーコードの場合には撮像装置４ａにより容易に該食肉用動物１の個体特定情報５の取得が可能となる。該食肉用動物１に装着された標識２がバーコードの場合にはバーコード読取機４ｂにより容易に該食肉用動物１の個体特定情報５の取得が可能となる。該食肉用動物１に装着された標識２が無線ＩＣタグの場合には無線ＩＣタグ読取機４ｃにより容易に該食肉用動物１の個体特定情報５の取得が可能となる。
【００４１】（請求項８）図４で、食肉用動物１の給餌装置３に装着された標識識別装置４により該食肉用動物１の個体特定情報５を取得するとともに、給餌装置３に装着された重量計７により給餌された給餌量７ａを取得が可能となる。
【００４２】（請求項９）図４で、食肉用動物１の給水装置８に装着された標識識別装置４により該食肉用動物１の個体特定情報５を取得することが可能となる。
【００４３】（請求項１０）図４で、食肉用動物１の給水装置８に装着された標識識別装置４により該食肉用動物１の個体特定情報５を取得するとともに、給水装置８に装着された水量計９により給水された給水量９ａを取得が可能となる。
【００４４】（請求項１１）図５で、食肉用動物１の畜舎１０の出口１０ａに装着された標識識別装置４により該食肉用動物１の個体特定情報５を取得することが可能となる。
【００４５】（請求項１２）図５で、食肉用動物１の畜舎１０の入口１０ｂに装着された標識識別装置４により該食肉用動物１の個体特定情報５を取得することが可能となる。
【００４６】（請求項１３）図１で、本発明に係る食用動物飼育管理装置は、食肉用動物１に装着された標識２を標識識別装置４により読取り、読取った個体特定情報５と給餌装置３に装備された重量計７により得られた給餌量７ａと給水装置８に装備された水量計９により得られた給水量９ａと畜舎１０の出口１０ａに装備された標識識別装置４により得られた畜舎１０からの出畜舎情報と畜舎１０の入口１０ｂに装備された標識識別装置４により得られた畜舎１０への入畜舎情報を取込む記憶装置６から成っており、食肉用動物１の個体毎に装着した標識２を読取る標識識別装置４により、該食肉用動物の個体特定５を行い、食餌装置３に装備された重量計７により給餌量７ａを取得し、給水装置８に装備された水量計９により給水量９ａを取得し、畜舎１０の出口１０ａと入口１０ｂに装備された標識識別装置４により食肉用動物１の畜舎の出入り情報を取得し、これらの情報を記憶装置６に記録させることで、食肉用動物１の個体毎の飼育中の管理情報を取得でき、食肉用動物１の個体毎の食肉の品質を想定することが可能となるとともに、飼育中の管理情報から食肉用動物１の飼育行動を誘導することで食肉の安定性を確保することが可能となる。
【実施例】
【００４７】  図１は本発明に係る食肉用動物管理装置の動作手順を示したものである。【００４８】  食肉用動物１に装着された標識２を標識識別装置４により読取り、読取った個体特定情報５と給餌装置３に装備された重量計７により得られた給餌量７ａと給水装置８に装備された水量計９により得られた給水量９ａと畜舎１０の出口１０ａに装備された標識識別装置４により得られた畜舎１０からの出畜舎情報と畜舎１０の入口１０ｂに装備された標識識別装置４により得られた畜舎１０への入畜舎情報を取込む記憶装置６から成っており、食肉用動物１の個体毎に装着した標識２を読取る標識識別装置４により、該食肉用動物の個体特定５を行い、食餌装置３に装備された重量計７により給餌量７ａを取得し、給水装置８に装備された水量計９により給水量９ａを取得し、畜舎１０の出口１０ａと入口１０ｂに装備された標識識別装置４により食肉用動物１の畜舎の出入り情報を取得し、これらの情報を記憶装置６に記録させることが可能となる。
【符号の説明】
【００４９】１      食肉用動物
２      標識
２ａ    カラーコード標識
２ｂ    バーコード標識
２ｃ    無線ＩＣタグ標識
２ｄ    体内埋め込み標識
２ｅ    体内埋め込み無線ＩＣタグ標識
３      給餌装置
４      標識識別装置
４ａ    撮像装置
４ｂ    バーコード読取機
４ｃ    無線ＩＣタグ読取機
５      個体特定情報
６      記憶装置
７      重量計
７ａ    給餌量
８      給水装置
９      水量計
９ａ    給水量
１０    畜舎
１０ａ  出口
１０ｂ  入口
【図１】
2016214222.tif 000003
【図２】
2016214222.tif 000004
【図３】
2016214222.tif 000005
【図４】
2016214222.tif 000006
【図５】
2016214222.tif 000007